【手続補正書】
【提出日】令和2年1月28日(2020.1.28)
【手続補正１】
【補正対象書類名】特許請求の範囲
【補正対象項目名】全文
【補正方法】変更
【補正の内容】
【特許請求の範囲】
【請求項１】
一つまたは複数の高周波（RF）信号を受信するトランシーバーと；
一つまたは複数のセンサー出力信号を生成するセンサーと；
前記受信されたRF信号および前記センサー出力信号に基づいて一つまたは複数のデータ・クラスターを生成する、前記トランシーバーおよび前記センサーに結合されたデータ・グループ化回路と；
前記受信されたRF信号および前記センサー出力信号に基づく前記一つまたは複数のデータ・クラスターのうちの少なくとも一つについて、意味的ラベルを生成する、前記データ・グループ化回路に結合された意味的ラベル付け回路とを有する、
装置。
【請求項２】
前記受信されたRF信号に関連する少なくとも一つのパラメータを示すデータを含むRFフィンガープリントを選択的に生成する、前記トランシーバーに結合されたRFフィンガープリント生成回路をさらに有する、請求項１記載の装置。
【請求項３】
前記一つまたは複数のセンサー出力信号に基づいて当該装置の外部の周囲環境を示すデータを含む環境シグネチャーを選択的に生成する、前記センサーに結合された環境シグネチャー生成回路をさらに有する、請求項２記載の装置。
【請求項４】
前記データ・グループ化回路が前記RFフィンガープリント生成回路および前記環境シグネチャー生成回路に結合されており；
前記データ・グループ化回路が一つまたは複数のデータ・クラスターを生成することは、データ・グループ化回路が：
前記RFフィンガープリントが少なくとも一つの閾値条件を満たすかどうかを判定し；
前記RFフィンガープリントが少なくとも一つの閾値条件を満たすとの判定に応答して、前記RFフィンガープリントおよび前記環境シグネチャーをデータ・クラスターにグループ化することを含む、
請求項３記載の装置。
【請求項５】
前記意味的ラベル付け回路および前記データ・グループ化回路に結合された装置検出回路をさらに有し、前記装置検出回路は：
少なくとも一つの他のローカルなポータブル電子装置の存在を検出する段階と；
前記少なくとも一つの他のローカルなポータブル電子装置からの信号を受信する段階であって、前記信号は、意味的ラベルおよび該意味的ラベルに論理的に関連付けられている同定されたデータ・クラスターを表わすデータを含む、段階と；
前記同定されたデータ・クラスターを表わす受領されたデータを、前記データ・グループ化回路によって生成された前記一つまたは複数のデータ・クラスターと比較する段階と；
肯定的な比較に応答して、受領された意味的ラベルを当該装置の外部の物理的な区画と論理的に関連付ける段階とを実行する、
請求項１記載の装置。
【請求項６】
前記トランシーバーが、動作時に、ブルートゥース（登録商標）または近距離場通信（NFC）規格によって定義されるRFスペクトルの少なくとも一部分の範囲内でRF信号を受信する、請求項１記載の装置。
【請求項７】
前記トランシーバーが、動作時に、IEEE802.11（Wi-Fi）規格によって定義されるRFスペクトルの少なくとも一部分の範囲内でRF信号を受信する、請求項１記載の装置。
【請求項８】
前記データ・グループ化回路が、少なくとも部分的には前記一つまたは複数のセンサー出力信号に含まれるデータまたは情報の少なくとも一方に基づいて、選択的にRF信号サンプリング・レートを決定する、請求項１記載の装置。
【請求項９】
前記データ・グループ化回路が、前記一つまたは複数のセンサー出力信号の少なくとも一つに含まれる前記データまたは情報が前記センサーが静止していることを示すことに応答して、前記RF信号サンプリング・レートを選択的に低下させる、請求項８記載の装置。
【請求項１０】
前記データ・グループ化回路が、前記一つまたは複数のセンサー出力信号の少なくとも一つに含まれる前記データまたは情報が前記センサーが動いていることを示すことに応答して、RF信号サンプリングを選択的に停止させる、請求項８記載の装置。
【請求項１１】
トランシーバーによって、一つまたは複数の高周波（RF）信号を受信する段階と；
センサーによって、一つまたは複数のセンサー出力信号を生成する段階と；
前記トランシーバーおよび前記センサーに結合されたデータ・グループ化回路によって、前記受信されたRF信号および前記センサー出力信号に基づいて一つまたは複数のデータ・クラスターを生成する段階と；
前記データ・グループ化回路に結合された意味的ラベル付け回路によって、前記受信されたRF信号および前記センサー出力信号に基づく前記一つまたは複数のデータ・クラスターのうちの少なくとも一つについて、意味的ラベルを生成する段階とを含む、
意味的ラベル付け方法。
【請求項１２】
前記トランシーバーに結合されたRFフィンガープリント生成回路によって、前記受信されたRF信号に関連する少なくとも一つのパラメータを示すデータを含むRFフィンガープリントを生成する段階をさらに含む、請求項１１記載の意味的ラベル付け方法。
【請求項１３】
前記センサーに結合された環境シグネチャー生成回路によって、前記一つまたは複数のセンサー出力信号に基づいて装置の外部の周囲環境を示すデータを含む環境シグネチャーを選択的に生成する段階をさらに含む、請求項１２記載の意味的ラベル付け方法。
【請求項１４】
前記トランシーバーおよび前記センサーに結合されたデータ・グループ化回路によって、前記受信されたRF信号および前記センサー出力信号に基づいて一つまたは複数のデータ・クラスターを生成する前記段階が：
前記データ・グループ化回路によって、前記RFフィンガープリントが少なくとも一つの閾値条件を満たすかどうかを判定し；
前記RFフィンガープリントが少なくとも一つの閾値条件を満たすとの判定に応答して、前記データ・グループ化回路によって、前記RFフィンガープリントおよび前記環境シグネチャーをデータ・クラスターにグループ化することを含む、
請求項１３記載の意味的ラベル付け方法。
【請求項１５】
前記意味的ラベル付け回路および前記データ・グループ化回路に結合された装置検出回路によって、少なくとも一つの他のローカルなポータブル電子装置の存在を検出する段階と；
前記装置検出回路によって、前記少なくとも一つの他のローカルなポータブル電子装置からの信号を受信する段階であって、前記信号は、意味的ラベルおよび該意味的ラベルに論理的に関連付けられている同定されたデータ・クラスターを表わすデータを含む、段階と；
前記装置検出回路によって、前記同定されたデータ・クラスターを表わす受領されたデータを、前記データ・グループ化回路によって生成された前記一つまたは複数のデータ・クラスターと比較する段階と；
肯定的な比較に応答して、前記装置検出回路によって、受領された意味的ラベルを装置の外部の物理的な区画と論理的に関連付ける段階とをさらに含む、
請求項１１記載の意味的ラベル付け方法。
【請求項１６】
トランシーバーによって、一つまたは複数の高周波（RF）信号を受信する前記段階が、前記トランシーバーによって、ブルートゥース（登録商標）または近距離場通信（NFC）規格によって定義されるRFスペクトルの少なくとも一部分の範囲内で一つまたは複数のRF信号を受信することを含む、請求項１１記載の意味的ラベル付け方法。
【請求項１７】
トランシーバーによって、一つまたは複数の高周波（RF）信号を受信する段階が、前記トランシーバーによって、IEEE802.11（Wi-Fi）規格によって定義されるRFスペクトルの少なくとも一部分の範囲内でRF信号を受信することを含む、請求項１１記載の意味的ラベル付け方法。
【請求項１８】
前記データ・グループ化回路によって、少なくとも部分的には前記一つまたは複数のセンサー出力信号に含まれるデータまたは情報の少なくとも一方に基づいて、選択的にRF信号サンプリング・レートを決定する段階をさらに含む、請求項１１記載の意味的ラベル付け方法。
【請求項１９】
前記データ・グループ化回路によって、少なくとも部分的には前記一つまたは複数のセンサー出力信号に含まれるデータまたは情報の少なくとも一方に基づいて、選択的にRF信号サンプリング・レートを決定する前記段階が：
前記データ・グループ化回路によって、前記一つまたは複数のセンサー出力信号の少なくとも一つに含まれるデータまたは情報が前記センサーが静止していることを示すことに応答して、前記RF信号サンプリング・レートを選択的に低下させることを含む、
請求項１８記載の意味的ラベル付け方法。
【請求項２０】
前記データ・グループ化回路によって、少なくとも部分的には前記一つまたは複数のセンサー出力信号に含まれるデータまたは情報の少なくとも一方に基づいて、選択的にRF信号サンプリング・レートを決定する前記段階が：
前記データ・グループ化回路によって、前記一つまたは複数のセンサー出力信号の少なくとも一つに含まれるデータまたは情報が前記センサーが動いていることを示すことに応答して、RF信号サンプリングを選択的に停止させることを含む、
請求項１８記載の意味的ラベル付け方法。
【請求項２１】
装置に：
トランシーバーを介して、一つまたは複数の高周波（RF）信号を受信する段階と；
センサーによって、一つまたは複数のセンサー出力信号を生成する段階と；
前記トランシーバーおよび前記センサーに結合されたデータ・グループ化回路によって、前記受信されたRF信号および前記センサー出力信号に基づいて一つまたは複数のデータ・クラスターを生成する段階と；
前記データ・グループ化回路に結合された意味的ラベル付け回路によって、前記受信されたRF信号および前記センサー出力信号に基づく前記一つまたは複数のデータ・クラスターのうちの少なくとも一つについて、意味的ラベルを生成する段階とを実行させるための、
コンピュータ・プログラム。
【請求項２２】
前記装置に、前記トランシーバーに結合されたRFフィンガープリント生成回路によって、前記受信されたRF信号に関連する少なくとも一つのパラメータを示すデータを含むRFフィンガープリントを生成する段階を実行させるための命令をさらに含む、請求項２１記載のコンピュータ・プログラム。
【請求項２３】
前記装置に、前記センサーに結合された環境シグネチャー生成回路によって、前記一つまたは複数のセンサー出力信号に基づいて装置の外部の周囲環境を示すデータを含む環境シグネチャーを選択的に生成する段階を実行させるための命令をさらに含む、請求項２２記載のコンピュータ・プログラム。
【請求項２４】
前記トランシーバーおよび前記センサーに結合されたデータ・グループ化回路によって、前記受信されたRF信号および前記センサー出力信号に基づいて一つまたは複数のデータ・クラスターを生成する前記段階が：
前記データ・グループ化回路によって、前記RFフィンガープリントが少なくとも一つの閾値条件を満たすかどうかを判定し；
前記RFフィンガープリントが少なくとも一つの閾値条件を満たすとの判定に応答して、前記データ・グループ化回路によって、前記RFフィンガープリントおよび前記環境シグネチャーをデータ・クラスターにグループ化することを含む、
請求項２３記載のコンピュータ・プログラム。
【請求項２５】
前記装置に、
前記意味的ラベル付け回路および前記データ・グループ化回路に結合された装置検出回路によって、少なくとも一つの他のローカルなポータブル電子装置の存在を検出する段階と；
前記装置検出回路によって、前記少なくとも一つの他のローカルなポータブル電子装置からの信号を受信する段階であって、前記信号は、意味的ラベルおよび該意味的ラベルに論理的に関連付けられている同定されたデータ・クラスターを表わすデータを含む、段階と；
前記装置検出回路によって、前記同定されたデータ・クラスターを表わす受領されたデータを、前記データ・グループ化回路によって生成された前記一つまたは複数のデータ・クラスターと比較する段階と；
肯定的な比較に応答して、前記装置検出回路によって、受領された意味的ラベルを装置の外部の物理的な区画と論理的に関連付ける段階とを実行させるための命令をさらに含む、
請求項２１記載のコンピュータ・プログラム。
【請求項２６】
請求項２１ないし２５のうちいずれか一項記載のコンピュータ・プログラムを記録しているコンピュータ可読記憶媒体。
【手続補正２】
【補正対象書類名】明細書
【補正対象項目名】００９３
【補正方法】変更
【補正の内容】
【００９３】
本稿で用いられる用語および表現は、限定ではなく説明の用語として使われている。そのような用語および表現の使用には、図示および記述される事項（またはその一部）のいかなる等価物をも除外するいとはない。さまざまな修正が請求項の範囲内で可能であることが認識される。よって、請求項はあらゆるそのような等価物をカバーすることが意図されている。
いくつかの態様を記載しておく。
〔態様１〕
意味的ラベル付けコントローラであって：
RFスペクトルの定義された部分の範囲内で複数の高周波（RF）信号を受信するトランシーバーと；
当該コントローラの外部の物理的な区画における周囲環境を示すデータまたは情報を含む信号を生成するセンサーと；
複数のRF信号を受領し、受領された各RF信号に関連する少なくとも一つのパラメータを示すデータを含むRFフィンガープリントを選択的に生成する、前記トランシーバーに結合されたRFフィンガープリント生成回路と；
前記物理的な区画における前記周囲環境を示すデータまたは情報を含む前記信号を受領し、当該コントローラの外部の前記周囲環境を示すデータを含む環境シグネチャーを選択的に生成する、前記センサーに結合された環境シグネチャー生成回路と；
前記RFフィンガープリントが少なくとも一つの閾値条件を満たすことに応答して、前記RFフィンガープリントおよび前記環境シグネチャーをデータ・クラスターに選択的にグループ化する、前記RFフィンガープリント生成回路および前記環境信号生成回路に結合されたデータ・グループ化回路と；
少なくとも部分的には前記データ・クラスターに含まれる前記RFフィンガープリントおよび前記環境シグネチャーに基づいて、前記物理的な区画との論理的関連付けのための提案される意味的ラベルを自律的に生成する、前記データ・グループ化回路に結合された意味的ラベル付け回路とを有する、
意味的ラベル付けコントローラ。
〔態様２〕
前記トランシーバーが、動作時に、ブルートゥース（登録商標）または近距離場通信（NFC）規格によって定義されるRFスペクトルの少なくとも一部分の範囲内でRF信号を受信する、態様１記載の意味的ラベル付けコントローラ。
〔態様３〕
前記トランシーバーが、動作時に、IEEE802.11（Wi-Fi）規格によって定義されるRFスペクトルの少なくとも一部分の範囲内でRF信号を受信する、態様１記載の意味的ラベル付けコントローラ。
〔態様４〕
前記RFフィンガープリント生成回路が、前記複数の受領されたRF信号のそれぞれに論理的に関連付けられている一意的な識別子および信号強度を少なくとも使って前記RFフィンガープリントを選択的に生成する、態様３記載の意味的ラベル付けコントローラ。
〔態様５〕
前記意味的ラベル付け回路がさらに：
前記提案される意味的ラベルを示すデータを含む人間が知覚できる出力を生成し；
前記提案される意味的ラベルの確認を示す入力を受領し；
前記提案される意味的ラベルの確認を示す前記入力の受領に応答して、確認された意味的ラベルを前記物理的な区画と論理的に関連付ける、
態様４記載の意味的ラベル付けコントローラ。
〔態様６〕
前記センサーが：オーディオ入力センサー、周囲光センサー、加速度計またはイメージセンサーのうちの少なくとも一つを含む、態様５記載の意味的ラベル付けコントローラ。
〔態様７〕
少なくとも部分的には前記の同定された物理的な区画に基づいて装置プロファイルを選択する、前記意味的ラベル付け回路に結合された装置プロファイル選択回路をさらに有する、態様６記載の意味的ラベル付けコントローラ。
〔態様８〕
前記意味的ラベル付け回路および前記データ・グループ化回路に結合された装置検出回路をさらに有し、前記装置検出回路は：
少なくとも一つの他のローカルなポータブル電子装置の存在を検出する段階と；
前記少なくとも一つの他のローカルなポータブル電子装置からの信号を受信する段階であって、前記信号は、意味的ラベルおよび該意味的ラベルに論理的に関連付けられている同定されたデータ・クラスターを表わすデータを含む、段階と；
前記同定されたデータ・クラスターを表わす受領されたデータを、前記データ・グループ化回路によって生成された前記データ・クラスターと比較する段階と；
肯定的な比較に応答して、受領された意味的ラベルを前記物理的な区画と論理的に関連付ける段階とを実行する、
態様６記載の意味的ラベル付けコントローラ。
〔態様９〕
前記データ・グループ化回路が、少なくとも部分的には前記センサーからの前記出力信号に含まれるデータまたは情報の少なくとも一方に基づいて、選択的にRF信号サンプリング・レートを決定する、態様１記載の意味的ラベル付けコントローラ。
〔態様１０〕
前記データ・グループ化回路が、前記センサーの前記出力信号に含まれるデータまたは情報が前記センサーが静止していることを示すことに応答して、前記RF信号サンプリング・レートを選択的に低下させる、態様９記載の意味的ラベル付けコントローラ。
〔態様１１〕
前記データ・グループ化回路がさらに、前記センサーの前記出力信号に含まれるデータまたは情報が前記センサーが動いていることを示すことに応答して、RF信号サンプリングを選択的に停止させる、態様９記載の意味的ラベル付けコントローラ。
〔態様１２〕
前記データ・グループ化回路が、前記RFフィンガープリントが、定義された時間的閾値期間より長い間にわたってRFフィンガープリント閾値以内に留まることに応答して、選択的に、前記RFフィンガープリントおよび前記環境シグネチャーをデータ・クラスターにグループ化する、態様１記載の意味的ラベル付けコントローラ。
〔態様１３〕
意味的ラベル付け方法であって：
高周波（RF）フィンガープリント生成回路によって、受領された各RF信号に関連する少なくとも一つのパラメータを示すデータを含むRFフィンガープリントを選択的に生成する段階と；
センサーによって、当該コントローラの外部の物理的な区画における周囲環境を示すデータまたは情報を含む信号を生成する段階と；
前記センサーに結合された環境シグネチャー生成回路によって、前記センサーの外部の前記周囲環境を示すデータを含む環境シグネチャーを生成する段階と；
前記RFフィンガープリント生成回路および前記環境信号生成回路に結合されたデータ・グループ化回路によって、前記RFフィンガープリントが少なくとも一つの閾値条件を満たすことに応答して、前記RFフィンガープリントおよび前記環境シグネチャーをデータ・クラスターに選択的にグループ化する段階と；
前記データ・グループ化回路に結合された意味的ラベル付け回路によって、少なくとも部分的には前記データ・クラスターに含まれる前記RFフィンガープリントおよび前記環境シグネチャーに基づいて、前記物理的な区画との論理的関連付けのための提案される意味的ラベルを自律的に生成する段階とを含む、
方法。
〔態様１４〕
受領された各RF信号に関連する少なくとも一つのパラメータを示すデータを含むRFフィンガープリントを選択的に生成する段階が：
前記RFフィンガープリント生成回路によって、前記複数の受領されたRF信号のそれぞれからの少なくとも一つのパラメータを使ってRFフィンガープリントを選択的に生成することを含み、前記複数の受領されたRF信号のそれぞれは、ブルートゥース（登録商標）RFスペクトルまたは近距離場通信（NFC）RFスペクトルの少なくとも一方を含むRFスペクトルの少なくとも一部の範囲内である、
態様１３記載の方法。
〔態様１５〕
受領された各RF信号に関連する少なくとも一つのパラメータを示すデータを含むRFフィンガープリントを選択的に生成する段階が：
前記RFフィンガープリント生成回路によって、前記複数の受領されたRF信号のそれぞれからの少なくとも一つのパラメータを使ってRFフィンガープリントを選択的に生成することを含み、前記複数の受領されたRF信号のそれぞれは、IEEE802.11（Wi-Fi）RFスペクトルを含むRFスペクトルの少なくとも一部分の範囲内である、
態様１３記載の方法。
〔態様１６〕
前記RFフィンガープリント生成回路によって、前記複数の受領されたRF信号のそれぞれからの少なくとも一つのパラメータを使ってRFフィンガープリントを選択的に生成することが：
前記RFフィンガープリント生成回路によって、前記複数の受領されたRF信号のそれぞれに論理的に関連付けられている一意的な識別子および信号強度を少なくとも使って少なくとも一つのRFフィンガープリントを選択的に生成することを含む、
態様１５記載の方法。
〔態様１７〕
少なくとも部分的には前記データ・クラスターに含まれる前記RFフィンガープリントおよび前記環境シグネチャーに基づいて、前記物理的な区画との論理的関連付けのための提案される意味的ラベルを自律的に生成する段階が：
前記意味的ラベル付け回路によって、前記提案される意味的ラベルを示すデータを含む人間が知覚できる出力を生成し；
前記意味的ラベル付け回路によって、前記提案される意味的ラベルの確認を示す入力を受領し；
前記意味的ラベル付け回路によって、前記意味的ラベルの確認を示す前記入力を受領することに応答して、確認された意味的ラベルを前記物理的な区画と論理的に関連付けることを含む、
態様１３記載の方法。
〔態様１８〕
前記センサーの外部の前記周囲環境を示すデータを含む環境シグネチャーを生成する段階が：
センサーによって、前記ポータブル電子装置の外部の可聴イベント、前記ポータブル電子装置の外部の周囲光イベント、前記ポータブル電子装置の外部の周囲動きイベントまたは前記ポータブル電子装置の外部の環境の画像のうちの少なくとも一つを示すデータまたは情報を含む環境シグネチャーを受領することを含む、
態様１３記載の方法。
〔態様１９〕
前記意味的ラベル付け回路に結合された装置プロファイル選択回路によって、少なくとも部分的には前記の同定された物理的な区画に基づいてポータブル電子装置プロファイルを選択する段階をさらに含む、態様１３記載の方法。
〔態様２０〕
前記意味的ラベル付け回路および前記データ・グループ化回路に結合された装置検出回路によって、少なくとも一つの他のローカルなポータブル電子装置の存在を検出する段階と；
前記装置検出回路によって、前記少なくとも一つの他のローカルなポータブル電子装置からの信号を受信する段階であって、前記信号は、意味的ラベルおよび該意味的ラベルに論理的に関連付けられている同定されたデータ・クラスターを表わすデータを含む、段階と；
前記装置検出回路によって、前記同定されたデータ・クラスターを表わす受領されたデータを、前記データ・グループ化回路によって生成された前記データ・クラスターと比較する段階と；
肯定的な比較に応答して、前記装置検出回路によって、受領された意味的ラベルを前記物理的な区画と論理的に関連付ける段階とさらに含む、
態様１３記載の方法。
〔態様２１〕
前記複数の受領されたRF信号のそれぞれからの少なくとも一つのパラメータを使って少なくとも一つのRFフィンガープリントを選択的に生成することが：
前記データ・グループ化回路によって、少なくとも部分的には前記センサーからの出力信号に含まれるデータまたは情報の少なくとも一方に基づいて、選択的にRF信号サンプリング・レートを決定することを含む、
態様１３記載の方法。
〔態様２２〕
少なくとも部分的には前記センサーからの出力信号に含まれるデータまたは情報の少なくとも一方に基づいて、選択的にRF信号サンプリング・レートを決定することが：
前記データ・グループ化回路によって、前記センサーの前記出力信号に含まれるデータまたは情報が前記センサーが静止していることを示すことに応答して、前記RF信号サンプリング・レートを選択的に低下させることを含む、
態様２１記載の方法。
〔態様２３〕
少なくとも部分的には前記センサーからの出力信号に含まれるデータまたは情報の少なくとも一方に基づいて、選択的にRF信号サンプリング・レートを決定することが：
前記データ・グループ化回路によって、前記センサーの前記出力信号に含まれるデータまたは情報が前記センサーが動いていることを示すことに応答して、RF信号サンプリングを選択的に停止させることを含む、
態様２１記載の方法。
〔態様２４〕
回路に意味的ラベル付けコントローラを提供させるためのコンピュータ・プログラムであって、前記意味的ラベル付けコントローラは：
受領された各RF信号に関連する少なくとも一つのパラメータを示すデータを含むRFフィンガープリントを選択的に生成し；
前記コントローラの外部の物理的な区画における周囲環境を示すデータまたは情報を含む信号を生成し；
前記センサーの外部の前記周囲環境を示すデータを含む環境シグネチャーを生成し；
前記RFフィンガープリントが少なくとも一つの閾値条件を満たすことに応答して、前記RFフィンガープリントおよび前記環境シグネチャーをデータ・クラスターに選択的にグループ化し；
少なくとも部分的には前記データ・クラスターに含まれる前記RFフィンガープリントおよび前記環境シグネチャーに基づいて、前記物理的な区画との論理的関連付けのための提案される意味的ラベルを自律的に生成する段階とを実行するものである、
コンピュータ・プログラム。
〔態様２５〕
前記意味的ラベル付けコントローラがさらに：
少なくとも一つの他のローカルなポータブル電子装置の存在を検出する段階と；
前記少なくとも一つの他のローカルなポータブル電子装置からの信号を受信する段階であって、前記信号は、意味的ラベルおよび該意味的ラベルに論理的に関連付けられている同定されたデータ・クラスターを表わすデータを含む、段階と；
前記同定されたデータ・クラスターを表わす受領されたデータを、前記データ・グループ化回路によって生成された前記データ・クラスターと比較する段階と；
肯定的な比較に応答して、受領された意味的ラベルを前記物理的な区画と論理的に関連付ける段階と実行するものである、
態様２４記載のコンピュータ・プログラム。
〔態様２６〕
態様２４または２５記載のコンピュータ・プログラムを記憶している記憶デバイス。